(57)【特許請求の範囲】
【請求項１】
ポットシート１を嵌合させた収納ケ−ス３を移送する移送台５の上方位置に、多めの床土の供給を受けたポットシート１のポット２の上方の余分な土を駆動回転しながら除去する回転ブラシ１１を設け、該回転ブラシ１１のブラシ回転軸１２の下方には、ポット２の上面より低い待機位置と、ポット２の上面から所定間隔を置いた上方の作用位置との間上下自在の前後方向に長い浮き防止体１６を左右に並設したシート浮き防止装置１５を設け、前記浮き防止体１６は平行リンクにより上下自在にし、前記平行リンクの一部の回動アーム１９の下部を前記収納ケ−ス３の左右側板２１の上面に摺接させて、浮き防止体１６を所定位置に保持させるポットシートの土均平装置。
【請求項２】
請求項１において、前記浮き防止体１６の回転ブラシ１１より前側に位置する部分に前後に所定間隔を置いて左右方向の連結棒１８により連結し、各連結棒１８の左右側に取付けた回動アーム１９の上部は横軸２０により固定部側に回動自在に取付けて平行リンクを構成し、前記浮き防止体１６の後端は前記回転ブラシ１１のブラシ回転軸１２より後側に位置させてかつ後方に至るに従い高くなるように傾斜させた傾斜案内部１７に形成したポットシートの土均平装置。
【請求項３】
請求項１または請求項２において、前記浮き防止体１６は自重により常時下方に位置するように構成したポットシートの土均平装置。
【請求項４】
請求項１または請求項２または請求項３において、前記収納ケ−ス３の左右側板２１の上面には金属板２３を設け、前記浮き防止体１６は前記収納ケ−ス３の前後板２２の高さに、前記回動アーム１９は金属板２３の高さに合わせたポットシートの土均平装置。
【請求項５】
請求項１または請求項２または請求項３または請求項４において、前記回転ブラシ１１の後側にスクレーパー７を設け、該スクレーパー７と干渉しない範囲で可及的に後側に前記浮き防止体１６を配置したポットシートの土均平装置。
【発明の詳細な説明】
【０００１】
【産業上の利用分野】
本発明は、ポットシートの土均平装置に係るものである。
【０００２】
【従来技術】
従来公知の特開平３−４３０２５号公報には、ポットシートを嵌合させた収納ケ−スを移送する移送台の上方位置に、多めの床土の供給を受けたポットシートのポットの上方の余分な土を駆動回転しながら除去する回転ブラシを設け、該回転ブラシの下方には、ポットの上面から所定間隔を置いた上方に前後方向に長い浮き防止体を左右に並設した構成が記載されている。
【０００３】
【発明が解決しようとする課題】
前記公知例は、図面では浮き防止体をポットの上面から所定間隔を置いた上方に位置させているが、回転ブラシと共に上下する構成であり、場合によってはポットシートに接触して変形させる惧れがあるという課題がある。
特に、ねぎ等の種子を蒔くポットシートの場合、薄い紙であることが多いので、一層変形する惧れが高い。
そこで、浮き防止体を工夫すると、ポットシートの変形を防止しながらポットシートの浮き上がりを防止できる。
【０００４】
【発明の目的】
ポットシートの浮き上がり防止、ポットシートの変形防止。
【０００５】
【課題を解決するための手段】
本発明は、ポットシート１を嵌合させた収納ケ−ス３を移送する移送台５の上方位置に、多めの床土の供給を受けたポットシート１のポット２の上方の余分な土を駆動回転しながら除去する回転ブラシ１１を設け、該回転ブラシ１１のブラシ回転軸１２の下方には、ポット２の上面より低い待機位置と、ポット２の上面から所定間隔を置いた上方の作用位置との間上下自在の前後方向に長い浮き防止体１６を左右に並設したシート浮き防止装置１５を設け、前記浮き防止体１６は平行リンクにより上下自在にし、前記平行リンクの一部の回動アーム１９の下部を前記収納ケ−ス３の左右側板２１の上面に摺接させて、浮き防止体１６を所定位置に保持させるポットシートの土均平装置としたものである。
本発明は、前記浮き防止体１６の回転ブラシ１１より前側に位置する部分に前後に所定間隔を置いて左右方向の連結棒１８により連結し、各連結棒１８の左右側に取付けた回動アーム１９の上部は横軸２０により固定部側に回動自在に取付けて平行リンクを構成し、前記浮き防止体１６の後端は前記回転ブラシ１１のブラシ回転軸１２より後側に位置させてかつ後方に至るに従い高くなるように傾斜させた傾斜案内部１７に形成したポットシートの土均平装置としたものである。
本発明は、前記浮き防止体１６は自重により常時下方に位置するように構成したポットシートの土均平装置としたものである。
本発明は、前記収納ケ−ス３の左右側板２１の上面には金属板２３を設け、前記浮き防止体１６は前記収納ケ−ス３の前後板２２の高さに、前記回動アーム１９は金属板２３の高さに合わせたポットシートの土均平装置としたものである。
本発明は、前記回転ブラシ１１の後側にスクレーパー７を設け、該スクレーパー７と干渉しない範囲で可及的に後側に前記浮き防止体１６を配置したポットシートの土均平装置としたものである。
【０００６】
【実施例】
本発明の実施例を図面により説明すると、１はポットシートであり、水溶性の紙材料で形成され、縦横に多数のポット２を並設して構成する。実施例のポットシート１は縦状の紙部材の側面同士の位置を互いに接着して平面視六角形のポット２を所謂ハニカム状に連設する。ポット２は上側から下側まで略同一幅の底抜け状態に形成し、使用前は水平方向に圧縮し、使用するときに広げて、収納ケ−ス３内に収納する。
したがって、収納ケ−ス３の前後側には前記ポット２に係合して長さ方向にポットシート１が縮むの防止する係合突起４を左右方向に所定間隔を置いて並設している。収納ケ−ス３は、引出し形状で、ポットシート１を嵌合しうる深さおよび大きさに形成されている。
【０００７】
５はポットシート１を嵌合させた収納ケ−ス３を始端側より終端側に向けて移送する移送台であり、移送方向に長く形成される。移送台５は収納ケ−ス３を移送する移送ロール６を設ける。
移送台５には、図示は省略するが、床土供給装置を設け、床土供給装置の移送方向前側には、ポット２の上面に供給された均平しながら余分な床土を削り取るスクレーパー７を設ける。スクレーパー７は平板形状に形成し、スクレーパー７の上部に取付軸８を固定し、取付軸８を移送台５に左右一対設けた取付用フレーム１０に軸装して回動自在に取付ける。
スクレーパー７は前後に複数並設し、最前方のスクレーパー７の前側には回転ブラシ１１を設ける。回転ブラシ１１はそのブラシ回転軸１２を前記取付用フレーム１０に高さ調節自在に取付け、ブラシ回転軸１２には回転を伝達させて回転ブラシ１１を駆動回転させる。回転ブラシ１１は図３において時計回転方向に回転して土をスクレーパー７側に掃き飛ばすようにしている。そのため、前記スクレーパー７は前後に所定間隔おいて並設し、前後のスクレーパー７の間に土が落下するようにしている。
【０００８】
しかして、前記回転ブラシ１１の下方には、回転する回転ブラシ１１によりポットシート１を巻き込むのを防止するシート浮き防止装置１５を設ける。シート浮き防止装置１５は、前記各ポット２の上面に摺接しない範囲で可及的に近接する浮き防止体１６を左右に並設して構成する。浮き防止体１６は縦の板部材を前後に長く形成し、浮き防止体１６の後端は後方に至るに従い高くなるように傾斜させた傾斜案内部１７に形成し、浮き防止体１６の前側は回転ブラシ１１より前側に位置させ、この部分の各浮き防止体１６を左右方向の連結棒１８により連結する。
実施例では、連結棒１８の下面と浮き防止体１６の上面とを溶接固定している。
【０００９】
連結棒１８は前後に複数設け、各連結棒１８の左右側には回動アーム１９の下部を取付け、回動アーム１９の上部は横軸２０により前記取付用フレーム１０側に回動自在に取付ける。
したがって、シート浮き防止装置１５は、浮き防止体１６と回動アーム１９とにより平行リンクを構成して、上下自在に取付けられる。
しかして、前記回動アーム１９は、平面視、収納ケ−ス３の左右側板２１の上方に位置し、収納ケ−ス３が前進すると、浮き防止体１６の傾斜案内部１７に当接して前方に押し、これにより回動アーム１９は回動して左右側板２１の上面に摺接して、浮き防止体１６の下面がポット２の上面の僅か上方に位置するように保持する。
【００１０】
しかして、左右側板２１の上面に金属板２３を設けると、回動アーム１９の下端が摺接しても耐久性を向上させる。
この場合、左右側板２１の上面の高さは金属板２３の分収納ケ−ス３の前後板２２の高さより高くなるが、この左右側板２１と前後板２２の高さの「差」と略同じだけ浮き防止体１６の下面を回動アーム１９の下面より低くすると、回動アーム１９が左右側板２１の上面に摺接したとき、浮き防止体１６の下面は最初から最後までのポット２の上面の僅か上方の所定位置に位置する。このとき、ポット２の上面は収納ケ−ス３の前後板２２の高さと略同じに設定する。
【００１１】
このように、左右側板２１の上面の高さと前後板２２の高さとポットシート１の厚さによって、回動アーム１９の下面と浮き防止体１６の下面を相対的に設定すれば良く、全て同じでもよい。
しかして、浮き防止体１６の傾斜案内部１７は、最前列のスクレーパー７と干渉しない範囲で可及的に後側に配置すると、回転ブラシ１１によるポットシート１の巻込を一層防止でき、好適である。
しかして、浮き防止体１６は、その重量によって、ポットシート１が通過した後に下方回動して初期の待機位置に戻るので、所定の重さに設定して形成する。
【００１２】
【作用】
次に作用を述べる。
収納ケース３に嵌合した状態で床土の供給を受けたポットシート１は移送台５の始端側から移送ロール６により終端側に向って略一定速度で移送され、多目に供給を受けたポットシート１はスクレーパー７の下方に至り、スクレーパー７は供給された床土の上面を均平にしながら余分な土を除去する。
スクレーパー７により均平されたポットシート１は、更に前進して回転ブラシ１１の下方に至り、回転ブラシ１１により余分な土を除去する。
【００１３】
この場合、回転ブラシ１１は土を後側に掃き戻すように回転しているので、収納ケ−ス３に嵌合しているポットシート１の前端を持ち上げ、これを放置すると、そのままポットシート１を巻つけてしまうことになる。
しかして、ポットシート１が回転ブラシ１１の下方を通過するとき、接触はしないが所定間隔を置いて上方に位置するシート浮き防止装置１５の浮き防止体１６の下方を通すから、回転ブラシ１１がポットシート１の前端またはその他の部分を持ち上げるように作用しても、浮き防止体１６によりポットシート１が押えられて回転ブラシ１１に巻き付くのを防止される。
【００１４】
この場合、ポットシート１は、通過するときは接触しない浮き防止体１６の下方を通るから、薄い紙部材により形成されたポットシート１でも、移送中に変形することなく、浮き防止体１６の下方を通過する。
しかして、シート浮き防止装置１５は回転ブラシ１１の下方に前後方向に長い浮き防止体１６を設け、浮き防止体１６は左右に複数並設して構成しているから、ポットシート１の前後左右の何れの部分も回転ブラシ１１により持ち上げられるのが防止される。
【００１５】
浮き防止体１６は、縦の板部材を前後に長く形成しているから、回転ブラシ１１との接触面積は少なく、回転ブラシ１１の回転の抵抗あるいは障害にならない。
浮き防止体１６の回転ブラシ１１より前側に位置する部分は、左右方向の連結棒１８により連結し、連結棒１８は前後一対設け、各連結棒１８の左右側には回動アーム１９の下部を固定し、各回動アーム１９の上部は横軸２０に固定し、横軸２０の両側は取付用フレーム１０側に回動自在に取付けているから、浮き防止体１６と回動アーム１９と取付用フレーム１０とにより平行リンクを構成する。
そして、浮き防止体１６の後端は後方に至るに従い高くなるように傾斜させた傾斜案内部１７に形成しているから、前進する収納ケ−ス３の前後板２２が傾斜案内部１７に当接すると、浮き防止体１６は前方に押されながら上方移動する。
【００１６】
回動アーム１９は、平面視、収納ケ−ス３の左右側板２１の上方に位置しているから、傾斜案内部１７の作用により回動した回動アーム１９は左右側板２１の上面に載り、回動アーム１９の下面は左右側板２１の上面に摺接する。
したがって、回動アーム１９は浮き防止体１６の下面をポット２の上面に対して所定位置に位置させる。
この場合、浮き防止体１６の下面は、ポット２の上面に接触はしない範囲で可及的に近接させているから、浮き防止体１６の下面とポット２の上面との間に所定の隙間を保持して、ポットシート１は移動する。
【００１７】
したがって、回転ブラシ１１がポットシート１の前端または他の部分を持ち上げようとすると、浮き防止体１６がポットシート１の上面に接触してこれを防止する。それゆえ、回転ブラシ１１にポットシート１が巻きつくのを防止する。
特に、収納ケ−ス３の高さは製造誤差により微妙に相違するが、浮き防止体１６は平行リンクにより上動し、この平行リンクの一部である回動アーム１９の下面を収納ケ−ス３の左右側板２１に摺接させるので、浮き防止体１６を接触させることなく、ポット２の上面に近接させられる。
それゆえ、回転ブラシ１１の高さ位置（高さ調節）とは無関係に浮き防止体１６はポットシート１に接触させることなく、ポット２の上面に近接させられるから、ポットシート１の移送中の変形を防止する。
しかして、浮き防止体１６および平行リンクの自重により、浮き防止体１６は常時下方に位置するように付勢されるから、高さが低い収納ケ−ス３が移送されても、これに合わせて下方回動して回動アーム１９の下面は左右側板２１に摺接する。
【００１８】
したがって、一々高さ調節することなく、ポット２は常時所定の隙間を保持して浮き防止体１６の下方を通過する。
この点からも、薄い紙材料で形成したポットシート１を変形させることなく、回転ブラシ１１の下方を通過させ、かつ、巻込を防止する。
しかして、左右側板２１の上面に金属板２３を設けると、回動アーム１９の下端が摺接しても耐久性を向上させる。
この場合、左右側板２１の上面の高さは金属板２３の分収納ケ−ス３の前後板２２の高さより高くなるが、この左右側板２１と前後板２２の高さの「差」と略同じだけ浮き防止体１６の下面を回動アーム１９の下面より低くしているから、回動アーム１９が左右側板２１の上面に摺接したとき、浮き防止体１６の下面は最初から最後までのポット２の上面の僅か上方の所定位置に位置する。
【００１９】
即ち、回動アーム１９が左右側板２１の上面に摺接したとき、浮き防止体１６の下面はポット２の上方に位置するが、ポット２の上面が左右側板２１の上面より低いときは、これに対応させて浮き防止体１６の下面の高さを低くする。
したがって、前後板２２より低く待機している浮き防止体１６の傾斜案内部１７に前後板２２が当たって回動アーム１９を左右側板２１に載せると、ポットシート１は最初から最後まで浮き防止体１６の下方を同じ隙間を保持しながら通過する。
しかして、浮き防止体１６の傾斜案内部１７は、最前列のスクレーパー７と干渉しない範囲で可及的に後側に配置しているから、回転ブラシ１１によるポットシート１の浮き上がりを防止できる範囲を広げ、巻込を一層防止でき、好適である。
【００２０】
【効果】
本発明は、ポットシート１を嵌合させた収納ケ−ス３を移送する移送台５の上方位置に、多めの床土の供給を受けたポットシート１のポット２の上方の余分な土を駆動回転しながら除去する回転ブラシ１１を設け、該回転ブラシ１１のブラシ回転軸１２の下方には、ポット２の上面より低い待機位置と、ポット２の上面から所定間隔を置いた上方の作用位置との間上下自在の前後方向に長い浮き防止体１６を左右に並設したシート浮き防止装置１５を設け、前記浮き防止体１６は平行リンクにより上下自在にし、前記平行リンクの一部の回動アーム１９の下部を前記収納ケ−ス３の左右側板２１の上面に摺接させて、浮き防止体１６を所定位置に保持させるポットシートの土均平装置としたものであるから、回転ブラシ１１によるポットシート１の浮きを押えて巻き付くのを防止すると共に、移送中の変形も防止し、浮き防止体１６は上下するので調節を不要にするだけでなく、製造誤差による収納ケ−ス３の高さのばらつきにも対応する。
本発明は、前記浮き防止体１６の回転ブラシ１１より前側に位置する部分に前後に所定間隔を置いて左右方向の連結棒１８により連結し、各連結棒１８の左右側に取付けた回動アーム１９の上部は横軸２０により固定部側に回動自在に取付けて平行リンクを構成し、前記浮き防止体１６の後端は前記回転ブラシ１１のブラシ回転軸１２より後側に位置させてかつ後方に至るに従い高くなるように傾斜させた傾斜案内部１７に形成したポットシートの土均平装置としたものであるから、浮き防止体１６は、収納ケ−ス３が来ると自動的に上動して確実に所定位置に位置する。
本発明は、前記浮き防止体１６は自重により常時下方に位置するように構成したポットシートの土均平装置としたものであるから、簡素な構成で、浮き防止体１６は上下し、また、下降する際にバネ弾力等を利用しないので僅かな力作用ですぐに上動する。
本発明は、前記収納ケ−ス３の左右側板２１の上面には金属板２３を設け、前記浮き防止体１６は前記収納ケ−ス３の前後板２２の高さに、前記回動アーム１９は金属板２３の高さに合わせたポットシートの土均平装置としたものであるから、耐久性を向上させる。
本発明は、前記回転ブラシ１１の後側にスクレーパー７を設け、該スクレーパー７と干渉しない範囲で可及的に後側に前記浮き防止体１６を配置したポットシートの土均平装置としたものであるから、回転ブラシ１１によるポットシート１の浮きを確実に押えられる。
【図面の簡単な説明】
【図１】  ポットシートの一部の斜視図。
【図２】  ポットシートの播種順序説明図。
【図３】  スクレーパーと回転ブラシとシート浮き防止装置の側面図。
【図４】  シート浮き防止装置と収納ケ−スの平面図。
【図５】  シート浮き防止装置の一部の斜視図。
【図６】  シート浮き防止装置と収納ケ−スの背面図。
【図７】  シート浮き防止装置の側面図。
【符号の説明】
１…ポットシート、２…ポット、３…収納ケ−ス、４…係合突起、５…移送台、６…移送ロール、７…スクレーパー、８…取付軸、１０…取付用フレーム、１１…回転ブラシ、１２…ブラシ回転軸、１５…シート浮き防止装置、１６…浮き防止体、１７…傾斜案内部、１８…連結棒、１９…回動アーム、２０…横軸、２１…左右側板、２２…前後板、２３…金属板。
【図１】
0004525996.tif 000002
【図２】
0004525996.tif 000003
【図３】
0004525996.tif 000004
【図４】
0004525996.tif 000005
【図５】
0004525996.tif 000006
【図６】
0004525996.tif 000007
【図７】
0004525996.tif 000008